(57)【特許請求の範囲】
【請求項１】
嵌合面に突起を有し基板に取付けられる基板取付面を有する絶縁ハウジングと、それぞれ前記嵌合面に沿って配置され、前記突起の側面と平行なブレードコンタクト、及び前記ハウジングの前記基板取付面及び該基板取付面とは反対側の面に開口する逆向き端が両端に形成されたレセプタクル部を有する、ブレード受容間隙を有するレセプタクルコンタクトとを具備する電気コネクタにおいて、
前記突起は該突起の内部に前記レセプタクル部を配置し、且つ前記基板取付面及び該基板取付面とは反対側の面で前記レセプタクル部の前記逆向き端と整合するブレード受容スロットを有し、
前記ハウジングは前記嵌合面の両端部に端部突起と該端部突起から前記嵌合面に沿った同一横方向に延びるキーを有し、前記ブレードコンタクト及び前記レセプタクルコンタクトとそれぞれ対応するレセプタクルコンタクト及びブレードコンタクトを有する同様の他のハウジングと前記嵌合面に沿った垂直方向にのみ嵌合可能であることを特徴とする電気コネクタ。
【請求項２】
前記ハウジングは、前記端部突起のさらに外側に端壁と、該端壁及び前記端部突起間の垂直クリアランスとを有することを特徴とする請求項１記載の電気コネクタ。
【発明の詳細な説明】
【０００１】
【発明の属する技術分野】
本発明は電気コネクタに関し、特にブレードコンタクト及びリセプタクルコンタクトを有する電気コネクタに関する。
【０００２】
【従来の技術】
対向する嵌合インターフェースに沿って嵌合可能な１対のコネクタの嵌合面に沿って配置されたブレード型コンタクト及び相補型のリセプタクル型コンタクトを有する電気コネクタが公知である。対向するコネクタの嵌合面に直交する嵌合軸に沿って嵌合するコネクタを提供することは周知である。
【０００３】
１対の電子部品をハウジングの側壁に沿って固定可能な１対のコネクタを提供し、その電子部品は１列に互いに密接して配置され、各モジュールはその列から取り外して交換することが可能であることが望ましい。コネクタは、その列から電子部品を着脱するに際し、挿抜できなければならない。
【０００４】
更に、コネクタは雌雄同形であり、同様な他のコネクタと嵌合できることが望ましい。
【０００５】
【発明が解決すべき課題】
従来の電気コネクタは電気部品、モジュール等が高密度に配置されていると取り外しが困難であり、モジュールの交換も容易ではないという問題があった。
【０００６】
【課題を解決する為の手段】
本発明は、以上の点に鑑みてなされたものであり、ハウジングの対向する側から嵌合面に沿って延びるレセプタクル部を有する少なくとも１個のコンタクトを具えるコネクタを提供する。レセプタクル部は共通の本体部から同じように広がってその間にブレード受容間隙を形成する、対向翼に湾曲した１対の接触部を含む。対向翼は対向するレセプタクル端部に入口を有し、ブレードは横移動によって嵌合面のいずれの側からも嵌合可能である。レセプタクル部は、ハウジングの突出部の横貫通スロット内に配置されて保護されるのが望ましい。
【０００７】
このようなコネクタは、同様な複数のレセプタクルコンタクトと交互に嵌合インターフェースに沿ってハウジング本体から前方に延びる１列のブレードコンタクトを有する。
【０００８】
各レセプタクルコンタクトは、ハウジング本体から直交して前方に延びる保護突起の垂直貫通スロット内に収容されたレセプタクルコンタクト部を含む。各ブレードコンタクトは、ハウジング本体から前方に延び、隣接する突起の間の凹部内に配置されているブレードハウジング部を有する。突起はその中にレセプタクルコンタクトを有し、各凹部は突起の１つの幅より僅かに広い。ブレード部とレセプタクル部は、限られた軸寸法の嵌合インターフェースゾーン内でハウジング本体から前方に延びる。同様なコネクタは嵌合ゾーンに対し横に移動すると、嵌合ゾーンは同様なコネクタの嵌合ゾーンと嵌合され、更にいずれかの方向から、横方向に嵌合可能である。このような嵌合の際、各ブレード部は相手方コネクタの関連したレセプタクル部を収容した各突起スロットに受容され、これにより、少なくともそれらの嵌合インターフェースに関しコネクタは雌雄同形となる。
【０００９】
ブレード部及びレセプタクル部は、嵌合面に沿って正確に同じ間隔が空けられ、且つ数が同じであり、嵌合面の一端にレセプタクル部があり、嵌合面の他端にはブレード部がある。コネクタは更に、整列（アライメント）特性を有しており、コネクタはそれらの対応するブレードコンタクト及び対応するレセプタクルコンタクトと接触する前に各々垂直に確実に整列される。
【００１１】
本発明の電気コネクタは、嵌合面に突起を有し基板に取付けられる基板取付面を有する絶縁ハウジングと、それぞれ前記嵌合面に沿って配置され、前記突起の側面と平行なブレードコンタクト、及び前記ハウジングの前記基板取付面及び該基板取付面とは反対側の面に開口する逆向き端が両端に形成されたレセプタクル部を有する、ブレード受容間隙を有するレセプタクルコンタクトとを具備する電気コネクタにおいて、前記突起は該突起の内部に前記レセプタクル部を配置し、且つ前記基板取付面及び該基板取付面とは反対側の面で前記レセプタクル部の前記逆向き端と整合するブレード受容スロットを有し、前記ハウジングは前記嵌合面の両端部に端部突起と該端部突起から前記嵌合面に沿った同一横方向に延びるキーを有し、前記ブレードコンタクト及び前記レセプタクルコンタクトとそれぞれ対応するレセプタクルコンタクト及びブレードコンタクトを有する同様の他のハウジングと前記嵌合面に沿った垂直方向にのみ嵌合可能であることを特徴とする。
【００１２】
【発明の実施の形態】
以下、本発明の好適な実施形態について添付図を参照して詳細に説明する。
【００１３】
図１乃至図３は、本発明の電気コネクタ（以下、単にコネクタという）の、正面図、平面図、及び側面図を夫々示し、図１は嵌合面を示す。
【００１４】
図４は一列に配置されて組立てられた、各々対向する側面に沿って図１乃至図３のコネクタを有する１対の電子モジュールの代表的な側面図を示す。
【００１５】
図５乃至図６は、図１乃至図３のコネクタの断面図であり、図５は図１の５−５線に沿ったブレードコンタクトを示し、図６は図１の６−６線に沿ったレセプタクルコンタクトを示す。
【００１６】
図７及び図８は、ブレードコンタクトの側面図及び正面図である。
【００１７】
図９乃至図１４は、打抜き形成されたレセプタクルコンタクトを示す。
【００１８】
図１５乃至図１７は、コネクタハウジングの正面図、平面図及び背面図を夫々示す。
【００１９】
図１８乃至図２０は、ハウジングのブレードコンタクト及びレセプタクルコンタクト区域を示すコネクタハウジングの拡大図である。
【００２０】
図２１は、ハウジングを部分的に破断し、上からレセプタクルコンタクト区域を見たコネクタハウジングの端部を示す。
【００２１】
図２２は、嵌合した本発明の１対のコネクタの平面図である。
【００２２】
図１に、コネクタ１０を正面から見た嵌合面を示し、コネクタ１０は、絶縁ハウジング１２及び嵌合面１８に沿って、雌コンタクト即ちレセプタクルコンタクト１６と交互に雄コンタクト即ちブレードコンタクト１４を有する。コンタクト１６のレセプタクル部２０は、保護用の突起２４のブレード受容スロット２２内に配置され、他方ブレード部２６は隣接する突起２４間の凹部２８内に配置される。コンタクト１４、１６のピンコンタクト部３０、３２は、コネクタ１０の基板取付面３４から垂下し、基板（図示せず）の貫通孔（スルーホール）に受容されて、基板の回路と電気的に接続するようになっている。図２では、凹部２８を画成する隣接する突起２４の対向する側壁４０の間の中間で、ハウジング１２の本体部３８の略同一な平面３６から突出するブレード部２６によって嵌合面１８が区切られていることが判る。相手方のコネクタ１０Ａ（図４参照）の対応するブレード部と確実に係合する為に、レセプタクル部２０がブレード受容スロット２２に十分突出しているのが判る。
【００２３】
後面４４に沿ってその両端にあるのは、基板取付面３４（図３参照）から垂下する基板保持部材４６を含む取付フランジ４２である。嵌合面１８の両端部には、端部突起５２、５４から同一横方向に延びるキー４８、５０が見られる。キー４８、５０及び端部突起５２、５４の外側には、垂直クリアランス６４、６６に面する内向き面６０、６２を有する端壁５６、５８がある。垂直クリアランス６４は、キー５０の背後のクリアランス部６８と関連し、他方、クリアランス部７０は端部突起５２の内面にあるキー４８から後方に形成され且つブレード部２６を有する凹部２８へと開放している。
【００２４】
図１、図２、図４及び図２２から、コネクタ１０が同様なブレード部、レセプタクル部、突起、及び凹部２８Ａを有する同様な嵌合面を有する他のコネクタ１０Ａと嵌合可能にその嵌合面１８が形成されていることが判る。他のコネクタ１０Ａのキー４８Ａ、５０Ａはコネクタ１０のクリアランス部６８、７０に受容され、また、逆も同じである。また、キー４８、５０を有する。端部突起５２、５４は垂直クリアランス或いはブレードを含む凹部２８Ａに受容可能である。端壁５６、５８は、他のコネクタ１０Ａの垂直クリアランス、又は対応する端壁５８Ａの外側に受容可能である。
【００２５】
図４に示す如く、コネクタ１０、１０Ａの嵌合は、それらを横切るように垂直に移動させることによってなされることが判る。図４では、コネクタ１０はそれが取り付けられる回路板を含む電子モジュールのハウジング７２の端部から突出するように示され、他方、同様なコネクタ１０Ａは、モジュールハウジング７２Ａの端部から突出するように示されている。このハウジング７２ＡはＤＩＮレールの如き共通な取付面７４に沿って接近して列状に配置されるように垂直にのみ可動となっている。端壁及び端部突起及びキー及びクリアランスの相互係合によってコネクタは正確に横方向に整列され、十分正確に間隔があけられるので、各コネクタのブレード部は、他のコネクタの対応するブレード受容スロット及びレセプタクル部と整列されて電気的接続が確実になされる。ブレード受容スロット２２への狭い入口７６と同様に従来と同じであるが相手方のコネクタと係合する虞れのある部位でハウジング１２の全ての角部に面取りを施すことが望ましい。
【００２６】
図５、図７及び図８を参照して、ブレードコンタクト１４には、本体部７８から前方に及び、本体部７８から垂下するピンコンタクト部３０を有するブレード部２６が設けられ、図７のキャリヤストリップ８０上で全てが平面形状をなしている。ブレードコンタクト１４はハウジング１２の本体部３８を貫通するスロット８２内に嵌め合い係合するように挿通可能であり、平面３６から突出して凹部２８内に配置される。
【００２７】
図６、図９乃至図１４を参照して、レセプタクルコンタクト１６は工程中で好ましくは、キャリアストリップ８４に打抜き形成されたレセプタクル部２０を有する。図９では、本体部８８から横に延びる共通の平面内で、本体部８８から軸方向に延びるピンコンタクト部３２と共に１対の翼（対向翼）８６が打抜かれる。図１０では、翼８６はその中間に同じ方向で面から湾曲した接触部９０を有する。図１１乃至図１４に於いて、翼８６は折り曲げられて両端にブレードコンタクト１４のブレード部２６を受容する逆向き端を形成すると共に面から直角に延びる。湾曲した接触部９０は互いに対向してその間にブレード部２６を受容する間隙（ブレード受容間隙）９２を形成し、レセプタクルコンタクト１６はキャリアストリップ８４に連結されている。間隙９２は翼８６の中間で互いの方へ収束するブレード係合接触面により形成される。本体部８８はレセプタクル部２０の水平な上部９４、水平な下部９６を含み、ピンコンタクト部３２は次に水平な下部９６から直角に折り曲げられる（図６）。
【００２８】
コネクタ１０のハウジング１２の構成を一層明確にする為に、ブレード部２６、レセプクタクルコンタクト１６及び基板保持部材４６を取り付ける前の構成を図１５乃至図２２に示す。ブレードコンタクト１４は後面４４からスロット８２を通過して挿入可能である。レセプタクルコンタクト１６は、ブレード受容スロット２２から後方に延びるスロット９８、１００内に嵌め合い係合して挿入された、水平な上部９４及び水平な下部９６によって嵌合面１８から挿入可能である。図１７はハウジング１２の背面図であり、嵌合面１８を示す図１５と逆である。図２１はハウジング１２の端部の拡大図であり、キー４８、関連するクリアランス部７０、端部突起５２、及び端壁５６を示し、且つまた、ブレード受容スロット２２から突起２４まで断面して、レセプクタクルコンタクト１６の水平な上部９４が挿入される上部スロット９８を示す。上部スロット９８内にはエンボス１０２があり、下部スロット１００内の同様なエンボスと共に水平上部９４と嵌め合い係合するのに役立つ。
【００２９】
図２２はコネクタ１０と嵌合した同様なコネクタ１０Ａを示し、ハウジング１２の突起２４はハウジング１２Ａの凹部２８Ａに受容されており、逆も同様である。それらの対応するコンタクトは係合した関係にある。コネクタ１０のキー４８、５０は、コネクタ１０Ａのクリアランス部６８Ａ、７０Ａに受容され、コネクタ１０Ａのキー４８Ａ、５０Ａはコネクタ１０のクリアランス部６８、７０に受容される。コネクタ１０の端部突起５２、５４はコネクタ１０Ａのクリアランス部６２Ａ及び凹部２８Ａに受容され、端部突起５２Ａ、５４Ａはクリアランス部６２及び凹部２８に受容される。端壁５８は垂直クリアランス６４Ａに受容され、端壁５６は端壁５８Ａの外側に位置し、端壁５６Ａは垂直クリアランス６４に受容される。
【００３０】
ここに開示された実施形態は、ブレード及びレセプタクル部を交互に有する雌雄同形のコネクタである。嵌合面から離隔しているハウジングの後部は本発明に従って嵌合する様に同じ嵌合面とする為に同一である必要はない。
【００３１】
本発明は、列の第１端ではブレード部が離隔して配置され、列の第２端ではブレード受容スロット内でレセプタクル部が位置し、それと嵌合する同様のコネクタがブレード部と整列したレセプタクル部及びレセプタクル部と整列したブレード部を有するようにしてもよい。同様に対応する突起内でのブレード部及びレセプタクル部は列に沿って正確に交互に配置されなくてもよいが、同様なコネクタが適切な方向に位置決めされたとき嵌合できるように一定に間隔をおいてもよい
。
【００３４】
【発明の効果】
本発明の電気コネクタは、突起は突起の内部にレセプタクル部を配置し、且つ基板取付面及び基板取付面とは反対側の面でレセプタクル部の逆向き端と整合するブレード受容スロットを有し、ハウジングは嵌合面の両端部に端部突起と端部突起から嵌合面に沿った同一横方向に延びるキーを有し、ブレードコンタクト及びレセプタクルコンタクトとそれぞれ対応するレセプタクルコンタクト及びブレードコンタクトを有する同様の他のハウジングと嵌合面に沿った垂直方向にのみ嵌合可能であるので、次の効果を奏する。
【００３５】
即ち、基板上でコネクタを上下方向に取付け取外しが容易に行え、基板面積も有効に使うことができる。またコネクタを雌雄同形とすることができ高い生産性と低コストのコネクタが得られる。
【図面の簡単な説明】
【図１】    本発明の電気コネクタの正面図を示す。
【図２】    本発明の電気コネクタの平面図を示す。
【図３】    本発明の電気コネクタの側面図を示す。
【図４】    本発明の電気コネクタを有する１対の電子モジュールの代表的な側面図を示す。
【図５】    図１の５−５線に沿ったブレードコンタクトを示す。
【図６】    図１の６−６線に沿ったレセプタクルコンタクトを示す。
【図７】    ブレードコンタクトの側面図を示す。
【図８】    ブレードコンタクトの正面図を示す。
【図９】    打抜き形成されたレセプタクルコンタクトの平面図を示す。
【図１０】  図９のレセプタクルコンタクトの正面図を示す。
【図１１】  図９のレセプタクルコンタクトを折り曲げ形成した背面図を示す。
【図１２】  図１１のレセプタクルコンタクトの側面図を示す。
【図１３】  図１１のレセプタクルコンタクトの平面図を示す。
【図１４】  図１２のレセプタクルコンタクトと同様な側面図を示す。
【図１５】  ハウジングの正面図を示す。
【図１６】  図１５のハウジングの平面図を示す。
【図１７】  図１５のハウジングの背面図を示す。
【図１８】  ハウジングの部分拡大図を示す。
【図１９】  ハウジングのブレードコンタクト部分を示す断面図である。
【図２０】  ハウジングのレセプタクルコンタクト部分を示す断面図である
。
【図２１】  ハウジングのレセプタクルコンタクト部分を示す、部分的に断面した平面図である。
【図２２】  嵌合した本発明の１対のコネクタの平面図を示す。
【符号の説明】
１２        絶縁ハウジング
１４        ブレードコンタクト
１６        レセプタクルコンタクト
１８        嵌合面
２０        レセプタクル部
２２        ブレード受容スロット
２４        突起
４０        側壁
８６        対向翼
９２        ブレード受容間隙
【図１】
0004058770.tif 000002
【図２】
0004058770.tif 000003
【図３】
0004058770.tif 000004
【図４】
0004058770.tif 000005
【図５】
0004058770.tif 000006
【図６】
0004058770.tif 000007
【図７】
0004058770.tif 000008
【図８】
0004058770.tif 000009
【図９】
0004058770.tif 000010
【図１０】
0004058770.tif 000011
【図１１】
0004058770.tif 000012
【図１２】
0004058770.tif 000013
【図１３】
0004058770.tif 000014
【図１４】
0004058770.tif 000015
【図１５】
0004058770.tif 000016
【図１６】
0004058770.tif 000017
【図１７】
0004058770.tif 000018
【図１８】
0004058770.tif 000019
【図１９】
0004058770.tif 000020
【図２０】
0004058770.tif 000021
【図２１】
0004058770.tif 000022
【図２２】
0004058770.tif 000023